(57)【要約】【課題】省電力状態からの不必要な復帰を防止することを目的とする。【解決手段】第１の電力モードと、前記第１の電力モードよりも省電力モードである第２の電力モードとを切り替える切り替え手段と、前記第１の電力モードの場合、近距離無線通信を介して接続を許可する信号を送信する第１の送信手段と、前記第２の電力モードの場合、近距離無線通信を介して接続を許可しない信号を送信する第２の送信手段と、を有する。【選択図】図７
2016170608.tif 000002
【特許請求の範囲】
【請求項１】
情報処理装置であって、
所定の情報を周期的に送信し、かつ、外部装置から接続要求を受信した場合に前記外部装置との間で接続を確立する通信手段と、
前記情報処理装置が第１の電力モードで動作する場合に、外部装置が前記接続要求を送信することを許可する第１の情報を周期的に送信するように前記通信手段を制御し、前記情報処理装置が前記第１の電力モードよりも省電力な第２の電力モードで動作する場合に、外部装置が前記接続要求を送信することを許可しない第２の情報を周期的に送信するように前記通信手段を制御する制御手段と、
を有することを特徴とする情報処理装置。
【請求項２】
前記通信手段は、ＢＬＥ（Ｂｌｕｅｔｏｏｔｈ  Ｌｏｗ  Ｅｎｅｒｇｙ）に基づく通信を実行し、
前記第１の情報は、前記接続要求を送信することを許可する種類のアドバタイズパケットであり、
前記第２の情報は、前記接続要求を送信することを許可しない種類のアドバタイズパケットであることを特徴とする請求項１に記載の情報処理装置。
【請求項３】
情報処理装置であって、
ＢＬＥに基づく通信を実行する通信手段と、
前記通信手段が外部装置から接続要求を受信した場合に、前記外部装置との間でＢＬＥの通信を確立するように前記通信手段を制御する第１の制御手段と、
前記情報処理装置が第１の電力モードで動作する場合に、外部装置が前記接続要求を送信することを許可する特定種類のアドバタイズパケットを周期的に送信するように前記通信手段を制御し、前記情報処理装置が前記第１の電力モードよりも省電力な第２の電力モードで動作する場合に、前記特定種類のアドバタイズパケットの送信を停止するように前記通信手段を制御する第２の制御手段と、
を有することを特徴とする情報処理装置。
【請求項４】
前記情報処理装置は、印刷処理を実行可能な印刷装置であることを特徴とする請求項１乃至３のいずれか１項に記載の情報処理装置。
【請求項５】
情報処理装置が実行する情報処理方法であって、
通信手段が、所定の情報を周期的に送信し、かつ、外部装置から接続要求を受信した場合に前記外部装置との間で接続を確立する通信ステップと、
制御手段が、前記情報処理装置が第１の電力モードで動作する場合に、外部装置が前記接続要求を送信することを許可する第１の情報を周期的に送信するように前記通信手段を制御し、前記情報処理装置が前記第１の電力モードよりも省電力な第２の電力モードで動作する場合に、外部装置が前記接続要求を送信することを許可しない第２の情報を周期的に送信するように前記通信手段を制御する制御ステップと、
を含むことを特徴とする情報処理方法。
【請求項６】
情報処理装置が実行する情報処理方法であって、
通信手段が、ＢＬＥに基づく通信を実行する通信ステップと、
第１の制御手段が、前記通信手段が外部装置から接続要求を受信した場合に、前記外部装置との間でＢＬＥの通信を確立するように前記通信手段を制御する第１の制御ステップと、
第２の制御手段が、前記情報処理装置が第１の電力モードで動作する場合に、外部装置が前記接続要求を送信することを許可する特定種類のアドバタイズパケットを周期的に送信するように前記通信手段を制御し、前記情報処理装置が前記第１の電力モードよりも省電力な第２の電力モードで動作する場合に、前記特定種類のアドバタイズパケットの送信を停止するように前記通信手段を制御する第２の制御ステップと、
を含むことを特徴とする情報処理方法。
【請求項７】
コンピュータに、
通信手段が、所定の情報を周期的に送信し、かつ、外部装置から接続要求を受信した場合に前記外部装置との間で接続を確立する通信ステップと、
制御手段が、前記コンピュータが第１の電力モードで動作する場合に、外部装置が前記接続要求を送信することを許可する第１の情報を周期的に送信するように前記通信手段を制御し、前記コンピュータが前記第１の電力モードよりも省電力な第２の電力モードで動作する場合に、外部装置が前記接続要求を送信することを許可しない第２の情報を周期的に送信するように前記通信手段を制御する制御ステップと、
を実行させるためのプログラム。
【請求項８】
コンピュータに、
通信手段が、ＢＬＥに基づく通信を実行する通信ステップと、
第１の制御手段が、前記通信手段が外部装置から接続要求を受信した場合に、前記外部装置との間でＢＬＥの通信を確立するように前記通信手段を制御する第１の制御ステップと、
第２の制御手段が、前記コンピュータが第１の電力モードで動作する場合に、外部装置が前記接続要求を送信することを許可する特定種類のアドバタイズパケットを周期的に送信するように前記通信手段を制御し、前記コンピュータが前記第１の電力モードよりも省電力な第２の電力モードで動作する場合に、前記特定種類のアドバタイズパケットの送信を停止するように前記通信手段を制御する第２の制御ステップと、
を実行させるためのプログラム。
【発明の詳細な説明】
【技術分野】
【０００１】
本発明は、情報処理装置、情報処理方法及びプログラムに関する。
【背景技術】
【０００２】
近年、携帯端末装置は、技術的進歩により利便性が向上し、パーソナルコンピュータ等に代わり、急速に普及している。携帯端末装置は、個人的な連絡手段からビジネス用途まで用いられるようになり、パーソナルコンピュータに代わる勢いで利用が進んでいる。また、近年、ネットワーク環境としては、有線ＬＡＮで接続された環境のみでなく、無線技術を用いた無線ＬＡＮで接続された環境も利用されている。そのため、特許文献１のように、携帯端末装置は、無線環境を介して、クラウドを経由して印刷を行うこともできるようになっている。
無線通信規格には、省電力を図る工夫がされた規格としてＢｌｕｅｔｏｏｔｈ（商標登録）、Ｂｌｕｅｔｏｏｔｈ  Ｌｏｗ  Ｅｎｅｒｇｙ等がある。特許文献２には、Ｂｌｕｅｔｏｏｔｈによる無線通信を利用し、データ通信を行なっていない期間には省電力モードとすることにより電力消費を抑えるための技術が公開されている。
また、特許文献３には、ユーザに対する利便性の向上を図る目的で、情報処理装置にユーザを検知するセンサーを搭載することで、ユーザを検知して省電力モードからアクティブモードに復帰させる技術も公開されている。
【先行技術文献】
【特許文献】
【０００３】
【特許文献１】特開２０１２−１３８０７４号公報
【特許文献２】特開２０１３−１８７７３４号公報
【特許文献３】特開２０１１−６７５４４号公報
【発明の概要】
【発明が解決しようとする課題】
【０００４】
ユーザは、携帯する携帯端末装置を利用して情報処理装置と通信を行い、個人認証を行う。この処理は、既存の無線通信技術を用いれば実行可能である。特に、情報処理装置は、Ｂｌｕｅｔｏｏｔｈ  Ｌｏｗ  Ｅｎｅｒｇｙ（以下では、ＢＬＥと略する）を用いて携帯端末装置と情報処理装置との間の距離を判定し、携帯端末装置が情報処理装置に近付いてきたことを判断することが可能である。しかし、情報処理装置は、微弱な無線電力を用いて距離を判断することになるため、ある程度距離が離れると建物内部の壁や家具による電波の反射等の影響により、誤判定が増加する。情報処理装置は、省電力状態である場合、ユーザの接近を誤判定する場合が増加すると、不必要な省電力状態からの復帰が増加してしまう。例えば、情報処理装置は、ユーザが情報処理装置の近くを通り過ぎただけでも省電力状態から誤復帰してしまう。
そこで、本発明は、省電力状態からの不必要な復帰を防止することを目的とする。
【課題を解決するための手段】
【０００５】
そこで、本発明の情報処理装置は、第１の電力モードと、前記第１の電力モードよりも省電力モードである第２の電力モードとを切り替える切り替え手段と、前記第１の電力モードの場合、近距離無線通信を介して接続を許可する信号を送信する第１の送信手段と、前記第２の電力モードの場合、近距離無線通信を介して接続を許可しない信号を送信する第２の送信手段と、を有する。
また、本発明の情報処理装置は、第１の電力モードと、前記第１の電力モードよりも省電力モードである第２の電力モードとを切り替える切り替え手段と、前記第１の電力モードの場合、近距離無線通信を介して接続を許可する信号を送信する第１の送信手段と、
前記第２の電力モードの場合、送信する信号を停止する停止手段と、を有する。
【発明の効果】
【０００６】
本発明によれば、省電力状態からの不必要な復帰を防止することができる。
【図面の簡単な説明】
【０００７】
【図１】情報処理装置の外観の一例を示す図である。
【図２】情報処理装置の装置構造の概略の一例を示す図である。
【図３】情報処理装置のハードウエア構成等の一例を示す図である。
【図４】携帯端末装置のハードウエア構成の一例を示す図である。
【図５】情報処理装置の従来の処理の一例を示すフローチャートである。
【図６】情報処理装置の処理の一例を示すフローチャートである。
【図７】情報処理装置の処理の一例を示すフローチャートである。
【図８】情報処理装置の処理の一例を示すフローチャートである。
【図９】情報処理装置の処理の一例を示すフローチャートである。
【発明を実施するための形態】
【０００８】
以下、本発明の実施形態について図面に基づいて説明する。
【０００９】
＜実施形態１＞
図１は、情報処理装置１の外観の一例を示す図である。情報処理装置１は、例えば、コピー機能、スキャン機能、ＦＡＸ機能及び印刷機能等の各種機能を備える一般的な複合機等の画像処理装置である。情報処理装置１の操作パネル２、人検知部１４等は、情報処理装置１の外部から視認される。操作パネル２は、表示部２ａを含み、ユーザによる操作指示を受け付ける操作パネルである。人検知部１４は、人を検知するためのセンサー部１４ａを含み、情報処理装置１の周辺の人を検知する。
【００１０】
図２は、本実施形態における情報処理装置１の装置構造の概略の一例を示す図である。情報処理装置１は、操作パネル２、無線ＬＡＮ通信部３、Ｂｌｕｅｔｏｏｔｈ通信部（以下ＢＴ通信部と略す）４、制御部５、人検知部１４等を含む。
無線ＬＡＮ通信部３、ＢＴ通信部４は、ユーザが所持する携帯端末装置８等との無線通信に利用される。制御部５は、情報処理装置１の動作を制御する。無線ＬＡＮ通信部３とＢＴ通信部４とは、それぞれのインタフェースを介して、制御部５と接続されている。
携帯端末装置８は、ユーザにより所持されるもので、情報処理装置１と通信を行い、情報処理装置１に各種処理を実行させる。
【００１１】
図３は、情報処理装置１のハードウエア構成等の一例を示す図である。情報処理装置１は、操作パネル２、無線ＬＡＮ通信部３、ＢＴ通信部４、制御部５、印刷処理部９、読取部１０、記憶装置１１、人検知部１４等を含む。操作パネル２、制御部５、印刷処理部９、読取部１０、記憶装置１１、人検知部１４等は、バス１３を介して相互に接続されており、相互に通信可能となっている。
印刷処理部９は、入力された画像データ、記憶装置１１内の画像データ等に基づき印刷処理を実行する。読取部１０は、原稿を読み取って画像データを生成する。記憶装置１１は、各種情報、プログラム等を記憶する。
人検知部１４は、人を検知するための人感センサー等で構成されるセンサー部１４ａ、センサー部１４ａがセンスした信号を処理し制御を行う人感制御部１４ｂ等を含む。人検知部１４は、バス１３を介して制御部５と接続され、相互に通信可能である。センサー部１４ａには、赤外線センサー、超音波センサー、可視光センサー等が利用される。
【００１２】
制御部５は、ＣＰＵ６、メモリ７等を含み、情報処理装置１の各ハードウエア構成要素の動作を制御する。ＣＰＵ６は、記憶装置１１に記憶されているプログラム１２を読み出して実行する。プログラム１２は、制御部５を後述する各種処理部として機能させるためのプログラムである。メモリ７は、ＣＰＵ６が処理を実行する際に生じる一時的なデータ等を記憶するものである。
ＣＰＵ６が、記憶装置１１等に記憶されたプログラムに基づき処理を実行することによって、情報処理装置１の機能及び後述するフローチャートの処理が実現される。
操作パネル２は、ユーザによる操作指示を受け付ける構成を備えている。即ち、操作パネル２は、例えば、液晶パネル等で構成され各種情報を表示する表示部２ａ、表示部２ａを介した操作を検知することでユーザによる操作指示を受け付ける操作入力部２ｂ等を含む。
【００１３】
無線ＬＡＮ通信部３は、無線ＬＡＮ規格に基づいて、外部機器との通信処理を行い、外部機器と制御部５との間で行われるデータ入出力処理を行う。
ＢＴ通信部４は、Ｂｌｕｅｔｏｏｔｈ規格に基づいて、外部機器との通信処理を行い、外部機器と制御部５との間で行われるデータ入出力処理を行う。
印刷処理部９は、読取部１０により読み取られた画像データ、記憶装置１１内の画像データ等に基づき印刷処理を実行することで印刷物を出力する処理部である。印刷処理部９は、例えば、画像データに基づき画像形成を行う画像形成部、１枚ずつ給紙された用紙に対して画像形成部によって形成されたトナー像（画像）を転写する転写部を含む。また、印刷処理部９は、用紙に転写されたトナー像を定着させる定着部、印刷された印刷物を排出する印刷物搬送部等を含む。情報処理装置１は、印刷処理部９を含むことで印刷処理を実行可能となる。
【００１４】
読取部１０は、原稿画像を読み取って画像データを生成する処理部である。読取部１０は、例えば、原稿載置台に載置された複数の原稿を先頭から１枚ずつ搬送する原稿搬送部、読み取った原稿画像を画像データに変換して生成する画像データ出力部等を含む。
記憶装置１１は、プログラム１２を記憶する。記憶装置１１は、各種閾値、各種設定値等を設定ファイルとして記憶する。ＣＰＵ６は、情報処理装置１の操作パネル２等を介したユーザの操作に基づいて、記憶装置１１に記憶されている設定ファイル内の閾値、設定値等の値を変更することができる。
制御部５は、情報処理装置１が一定期間ユーザにより使用されないと省電力モードに入り、ＣＰＵ６、無線ＬＡＮ通信部３及びＢＴ通信部４を除いて通電を止める。そして、制御部５は、省電力モードの場合であっても、外部機器からの通信要求を受け、通常モードに移行して動作することができる。
【００１５】
図４は、携帯端末装置８のハードウエア構成の一例を示す図である。携帯端末装置８は、制御部８ａ、記憶装置８ｂ、無線ＬＡＮ部８ｃ、ＢＴ通信部８ｄ等を含む。また、携帯端末装置８は、バッテリ、電源制御部等も含む。
制御部８ａは、携帯端末装置８の動作を制御する。記憶装置８ｂは、プログラム、画像データ等の各種情報を記憶する。
制御部８ａは、ＣＰＵ、メモリ等を含み、記憶装置８ｂに記憶されている各種プログラムを読出して実行する。制御部８ａのＣＰＵ６が、記憶装置８ｂ等に記憶されたプログラムに基づき処理を実行することによって、携帯端末装置８の機能及び処理が実現される。無線ＬＡＮ部８ｃは、無線ＬＡＮ規格に基づいて外部機器との通信処理を行い、外部機器と制御部８ａとの間で行われるデータ入出力処理を行う。また、ＢＴ通信部８ｄは、Ｂｌｕｅｔｏｏｔｈ規格に基づいて外部機器との通信処理を行い、外部機器と制御部８ａとの間で行われるデータ入出力処理を行う。
【００１６】
表１は、情報処理装置１からＢＬＥ（Ｂｌｕｅｔｏｏｔｈ  Ｌｏｗ  Ｅｎｅｒｇｙ）の規格で発信されるビーコンパケット信号の種類と前記ビーコンパケット信号に対する応答パケットとについて説明した表である。ビーコンパケットとは、情報処理装置１から送信される信号である。アドバタイズパケットとは、情報処理装置１から周囲の端末が受信できる情報としてブロードキャストで送信されるビーコンパケットである。無線ＬＡＮ通信部を備えた外部機器は、情報処理装置１から送信されたアドバタイズパケットを受信し、受信したアドバタイズパケットに基づいて、情報処理装置１と接続を行う。
【００１７】
【表１】
2016170608.tif 000003
【００１８】
ビーコンパケットの概要は、以下の通りである。
・ＡＤＶ＿ＩＮＤ：不特定機器からの接続を許可するビーコンパケットで、ＳＣＡＮ＿ＲＥＱ及びＣＯＮＮ＿ＲＥＱの応答が可能。
・ＡＤＶ＿ＤＩＲＥＣＴ＿ＩＮＤ：限定した接続先からの接続を許可するビーコンパケットで、ＳＣＡＮ＿ＲＥＱの応答は不可、ＣＯＮＮ＿ＲＥＱの応答は可能。
・ＡＤＶ＿ＳＣＡＮ＿ＩＮＤ：情報のブロードキャストに利用されるビーコンパケット。ＳＣＡＮ＿ＲＥＱの応答は可能だが、ＣＯＮＮ＿ＲＥＱの応答は不可。
・ＡＤＶ＿ＮＯＮＣＯＮＮ＿ＩＮＤ：情報のブロードキャストに利用されるビーコンパケット。ＳＣＡＮ＿ＲＥＱ及びＣＯＮＮ＿ＲＥＱの応答は不可。
また、応答パケットの概要は、以下のとおりである。
・ＳＣＡＮ＿ＲＥＱ：ビーコンパケット内の情報に追加して追加情報の要求を行うための応答パケット。
・ＣＯＮＮ＿ＲＥＱ：接続要求パケット。
以上が、ビーコンパケット、応答パケットの概要である。
ビーコンパケット（アドバタイズパケット）は、スレーブ側の装置から発信される。マスター側の装置の振る舞い及びマスター側の装置が出力できるパケットは、前記ビーコンパケットの種類によって決定される。
ＡＤＶ＿ＩＮＤ、ＡＤＶ＿ＤＩＲＥＣＴ＿ＩＮＤ等の特定種類のビーコンパケット（アドバタイズパケット）は、外部装置に接続要求を送信することを許可するビーコンパケット（アドバタイズパケット）である。
【００１９】
従来の情報処理装置１の近距離無線通信の際の処理に関して説明する。
ＣＰＵ６は、情報処理装置１の電源投入が行われると情報処理装置１内の各ハードウエア構成要素のイニシャル（初期化）処理を実行し、ＢＴ通信部４を介して、ＡＤＶ＿ＩＮＤのビーコンパケットの送信を開始する。そして、ＣＰＵ６は、何らかの処理するジョブ等がある場合、前記ジョブの処理を行う。また、ＣＰＵ６は、アイドル状態で一定期間が経過すると、情報処理装置１を省電力モードにする。ＣＰＵ６は、人検知部１４によりユーザが検知された場合、無線ＬＡＮ等で接続されたデバイスから復帰コマンドやジョブ等を受信した場合、携帯端末装置８から接続要求パケットを受信した場合等の場合に、情報処理装置１を省電力モードから復帰させる。
【００２０】
人検知部１４によりユーザが検知された場合、無線ＬＡＮ等で接続されたデバイスから復帰コマンドやジョブ等を受信した場合、携帯端末装置８から接続要求パケットを受信した場合、の何れかの場合、ＣＰＵ６は、以下の処理を行う。即ち、ＣＰＵ６は、情報処理装置１内の各ハードウエア構成要素を省電力モードからスタンバイモードに復帰させる。スタンバイモードは、情報処理装置１の第１の電力モードの一例である。省電力モードは、情報処理装置１の第２の電力モードの一例である。
ＢＴ通信部４は、携帯端末装置８からＢｌｕｅｔｏｏｔｈによる接続要求パケットを受信すると、ユーザデバイスである携帯端末装置８と通信を行う。そして、ＣＰＵ６は、ＢＴ通信部４を介して受信したデータを読み出し、応答するデータを作成して、作成したデータを、ＢＴ通信部４を介して携帯端末装置８に送信する。ＣＰＵ６は、例えば無線ＬＡＮ通信部３を介して、携帯端末装置８等の外部装置から、Ｗａｋｅ−ｏｎ−ＬＡＮ（以下ＷＯＬとする）パケットやジョブを受信すると、復帰要因を確認し、受信した信号に応じた処理を行う。
【００２１】
以下、図５のフローチャートを参照して、ＣＰＵ６の処理を説明する。
Ｓ５０１において、ＣＰＵ６は、情報処理装置１の電源投入に伴いイニシャル処理を実行し、ＢＴ通信部４を介して、ＡＤＶ＿ＩＮＤのビーコンパケットの送信を開始する。Ｓ５０１の処理の後、ＣＰＵ６は、ＢＴ通信部４を介して、ＡＤＶ＿ＩＮＤのビーコンパケットを周期的に送信する。
Ｓ５０２において、ＣＰＵ６は、処理するジョブがあるか否かを判定し、処理するジョブがあると判定した場合、Ｓ５０３の処理へ進み、処理するジョブがないと判定した場合、Ｓ５０４の処理へ進む。
Ｓ５０４において、ＣＰＵ６は、タイマーのカウントアップを行い、Ｓ５０５の処理へ進む。
【００２２】
Ｓ５０５において、ＣＰＵ６は、Ｓ５０４でカウントアップされたタイマーに基づいて、経過期間を判断し、設定された閾値以上の期間が経過したか否かを判定する。ＣＰＵ６は、設定された閾値以上の期間が経過したと判定した場合、Ｓ５０６の処理へ進み、設定された閾値以上の期間が経過していないと判定した場合、Ｓ５０２の処理へ進む。
Ｓ５０６において、ＣＰＵ６は、情報処理装置１内の各ハードウエア構成要素を省電力モードに設定する。
Ｓ５０７において、ＣＰＵ６は、人検知部１４を介したユーザの検知、無線ＬＡＮ通信部３を介したＷＯＬパケットやジョブ等の受信、携帯端末装置８からのＢｌｕｅｔｏｏｔｈを利用した接続要求パケットの受信、の何れかの処理を実行したか否かを判定する。ＣＰＵ６は、人検知部１４を介したユーザの検知、無線ＬＡＮ通信部３を介したＷＯＬパケットやジョブ等の受信、携帯端末装置８からのＢｌｕｅｔｏｏｔｈを利用した接続要求パケットの受信、の何れかの処理を実行したと判定した場合、Ｓ５０８の処理へ進む。ＣＰＵ６は、人検知部１４を介したユーザの検知、無線ＬＡＮ通信部３を介したＷＯＬパケットやジョブ等の受信、携帯端末装置８からのＢｌｕｅｔｏｏｔｈを利用した接続要求パケットの受信、の何れの処理も実行していないと判定した場合、Ｓ５０７の処理に進む。
【００２３】
Ｓ５０８において、ＣＰＵ６は、Ｓ５０６で省電力モードに設定した情報処理装置１内のハードウエア構成要素をスタンバイモードに復帰させる。
Ｓ５０９において、ＣＰＵ６は、Ｓ５０７で実行したと判定した処理が携帯端末装置８からのＢｌｕｅｔｏｏｔｈによる接続要求パケットを受信であったか否かを判定する。ＣＰＵ６は、Ｓ５０７で実行したと判定した処理が携帯端末装置８からのＢｌｕｅｔｏｏｔｈによる接続要求パケットを受信であったと判定した場合、Ｓ５１２の処理に進む。ＣＰＵ６は、Ｓ５０７で実行したと判定した処理が携帯端末装置８からのＢｌｕｅｔｏｏｔｈによる接続要求パケットを受信ではなかったと判定した場合、Ｓ５１０の処理に進む。
Ｓ５１０において、ＣＰＵ６は、Ｓ５０７で実行したと判定した処理が無線ＬＡＮ通信部３を介したＷＯＬパケットやジョブ等の受信であったか否かを判定する。ＣＰＵ６は、Ｓ５０７で実行したと判定した処理が無線ＬＡＮ通信部３を介したＷＯＬパケットやジョブ等の受信であったと判定した場合、Ｓ５１３の処理に進む。ＣＰＵ６は、Ｓ５０７で実行したと判定した処理が無線ＬＡＮ通信部３を介したＷＯＬパケットやジョブ等の受信ではなかったと判定した場合、Ｓ５１１の処理に進む。
【００２４】
Ｓ５１１において、ＣＰＵ６は、Ｓ５０７で実行したと判定した処理が人検知部１４を介したユーザの検知であるか否かを判定する。ＣＰＵ６は、判定の結果に関わらずＳ５０２の処理に進む。ＣＰＵ６は、判定の結果に応じた処理を行うこととしてもよい。
Ｓ５１２において、ＣＰＵ６は、ＢＴ通信部４を介して、ユーザデバイスである携帯端末装置８とＢｌｕｅｔｏｏｔｈを利用した通信を行う。Ｓ５１２の処理により、情報処理装置１と携帯端末装置８との間のＢｌｕｅｔｏｏｔｈ（ＢＬＥ）の通信が確立する。ＣＰＵ６は、ＢＴ通信部４を介して、携帯端末装置８から受信したデータを読み出し、応答するデータを作成してＢＴ通信部４を介して、携帯端末装置８に対して作成したデータを送信する。ＣＰＵ６は、Ｓ５１２の処理の後、Ｓ５０２の処理に進み、Ｓ５０２で携帯端末装置８から受信したデータの内容を判断する。
Ｓ５１３において、ＣＰＵ６は、受信したＷＯＬパケットやジョブ等に応じた処理を行う。
【００２５】
次に、本実施形態の情報処理装置１の処理について説明する。
ＣＰＵ６は、情報処理装置１の電源投入が行われると情報処理装置１内の各ハードウエア構成要素のイニシャル処理を実行し、ＢＴ通信部４を介してＡＤＶ＿ＩＮＤのビーコンパケットの出力を開始する。
そして、ＣＰＵ６は、何らか処理するジョブ等があった場合には前記ジョブの処理を行い、その後、アイドル状態で一定期間が経過すると、情報処理装置１を省電力モードにし、ＢＴ通信部４を介したビーコンパケットの送信を停止する。
【００２６】
ＣＰＵ６は、人検知部１４を介してユーザを検知した場合、及び無線ＬＡＮ等で接続されたデバイスからＷＯＬコマンドやジョブを受信した場合、情報処理装置１を省電力モードから復帰させる。ＣＰＵ６は、情報処理装置１内の各ハードウエア構成要素を省電力モードからスタンバイモードに復帰させ、ＢＴ通信部４を介してビーコンパケットの送信を再開する。
ＣＰＵ６は、ＢＴ通信部４を介して、ユーザデバイスである携帯端末装置８からＢｌｕｅｔｏｏｔｈによる接続要求パケットを受信した場合、携帯端末装置８と通信を行う。ＣＰＵ６は、ＢＴ通信部４を介して、携帯端末装置８から受信したデータを読み出し、応答するデータを作成して、携帯端末装置８に対して作成したデータを送信する。
また、ＣＰＵ６は、携帯端末装置８等の外部装置から、例えば、無線ＬＡＮ通信部３を介して、ＷＯＬパケットやジョブを受信すると、受信した信号に応じた処理を行う。
【００２７】
以下、図６のフローチャートを参照して、本実施形態におけるＣＰＵ６の処理を説明する。
Ｓ６０１において、ＣＰＵ６は、情報処理装置１の電源投入に伴いイニシャル処理を実行し、ＢＴ通信部４を介してＡＤＶ＿ＩＮＤのビーコンパケットの出力を開始する。Ｓ６０１の処理の後、ＣＰＵ６は、ＢＴ通信部４を介して、ＡＤＶ＿ＩＮＤのビーコンパケットを周期的に送信する。
Ｓ６０２において、ＣＰＵ６は、処理するジョブがあるか否かを判定し、処理するジョブがあると判定した場合、Ｓ６０３の処理に進み、処理するジョブがないと判定した場合、Ｓ６０４の処理に進む。
Ｓ６０４において、ＣＰＵ６は、タイマーのカウントアップを行い、Ｓ６０５の処理に進む。
【００２８】
Ｓ６０５において、ＣＰＵ６は、Ｓ６０４でカウントアップしたタイマーに基づいて、経過期間を判断し、設定された閾値以上の期間が経過したか否かを判定する。ＣＰＵ６は、設定された閾値以上の期間が経過したと判定した場合、Ｓ６０６の処理に進み、設定された閾値以上の期間が経過していないと判定した場合、Ｓ６０２の処理に進む。
Ｓ６０６において、ＣＰＵ６は、情報処理装置１内の各ハードウエア構成要素を省電力モードに設定する。
Ｓ６０７において、ＣＰＵ６は、ＢＴ通信部４を介したビーコンパケットの送信を停止する。
【００２９】
Ｓ６０８において、ＣＰＵ６は、人検知部１４を介したユーザの検知、無線ＬＡＮ通信部３を介したＰＣからのＷＯＬパケットやジョブの受信、の何れかの処理を実行したか否かを判定する。ＣＰＵ６は、人検知部１４を介したユーザの検知、無線ＬＡＮ通信部３を介したＰＣからのＷＯＬパケットやジョブの受信、の何れかの処理を実行したと判定した場合、Ｓ６０９の処理に進む。ＣＰＵ６は、人検知部１４を介したユーザの検知、無線ＬＡＮ通信部３を介したＰＣからのＷＯＬパケットやジョブの受信、の何れの処理も実行していないと判定した場合、Ｓ６０８の処理に進む。
Ｓ６０９において、ＣＰＵ６は、情報処理装置１内の各ハードウエア構成要素を省電力モードからスタンバイモードに復帰させる。
Ｓ６１０において、ＣＰＵ６は、ＢＴ通信部４を介したビーコンパケットの周期的な送信を再開する。
【００３０】
Ｓ６１１において、ＣＰＵ６は、Ｓ６０８で実行したと判定された処理が、ＢＴ通信部４を介したＢｌｕｅｔｏｏｔｈの通信を利用した携帯端末装置８からの接続要求パケットの受信の処理であるか否かを判定する。ＣＰＵ６は、Ｓ６０８で実行したと判定された処理が携帯端末装置８からの接続要求パケットの受信の処理であると判定した場合、Ｓ６１２の処理に進む。ＣＰＵ６は、Ｓ６０８で実行したと判定された処理が携帯端末装置８からの接続要求パケットの受信の処理ではないと判定した場合、Ｓ６１３の処理に進む。
Ｓ６１２において、ＣＰＵ６は、ＢＴ通信部４を介して、ユーザデバイスである携帯端末装置８と通信を行う。Ｓ６１２の処理により、情報処理装置１と携帯端末装置８との間のＢｌｕｅｔｏｏｔｈ（ＢＬＥ）の通信が確立する。ＣＰＵ６は、ＢＴ通信部４を介して、携帯端末装置８から受信したデータを読み出し、応答するデータを作成して、携帯端末装置８に対して作成したデータを送信する。
【００３１】
Ｓ６１３において、ＣＰＵ６は、Ｓ６０８で実行したと判定された処理が無線ＬＡＮ通信部３を介したＰＣからのＷＯＬパケットやジョブの受信であるか否かを判定する。ＣＰＵ６は、Ｓ６０８で実行したと判定された処理が無線ＬＡＮ通信部３を介したＰＣからのＷＯＬパケットやジョブの受信であると判定した場合、Ｓ６１４の処理に進む。ＣＰＵ６は、Ｓ６０８で実行したと判定された処理が無線ＬＡＮ通信部３を介したＰＣからのＷＯＬパケットやジョブの受信ではないと判定した場合、Ｓ６０２の処理に進む。
Ｓ６１４において、ＣＰＵ６は、Ｓ６０８で実行したと判定された無線ＬＡＮ通信部３を介したＰＣからのＷＯＬパケットやジョブの受信の処理において受信した信号に応じた処理を行う。
【００３２】
以上、本実施形態の処理により、情報処理装置１は、省電力状態からの不必要な復帰を防止することができる。また、情報処理装置１は、省電力状態からの不必要な復帰が発生するとまた、一定期間たたないと省電力モードにならず、その間、無駄な電力消費が発生する。そのため、本実施形態の処理により、情報処理装置１は、無駄な電力消費を抑制することもできる。
また、情報処理装置１は、人検知部１４を介してユーザが検知された場合に省電力モードから復帰することで、情報処理装置１を利用したいユーザの接近等の必要な場合に復帰することができる。
【００３３】
＜実施形態２＞
本実施形態における情報処理装置１、携帯端末装置８のハードウエア構成及び情報処理装置１、携帯端末装置８の各ハードウエア構成要素の詳細は、実施形態１と同様である。
実施形態１では、ＣＰＵ６は、省電力モードに入った際にビーコンパケットの送信を停止することとした。しかし、ＣＰＵ６は、省電力モードからの無駄な復帰を抑制するには、接続を許可するＡＤＶ＿ＩＮＤ等のビーコンパケットの送信を停止すればよく、一切のビーコンパケットの送信を停止する必要はない。そこで、本実施形態の処理として、省電力モードに入った際にビーコンパケットの種類を変更し、省電力モードからの復帰した際に再度ビーコンパケット種類を戻す処理について説明する。
【００３４】
ＣＰＵ６は、情報処理装置１に電源投入が行われると情報処理装置１内の各ハードウエア構成要素のイニシャル処理を実行し、ＢＴ通信部４を介してＡＤＶ＿ＩＮＤのビーコンパケットの送信を開始する。
ＣＰＵ６は、何らか処理するジョブ等があった場合、前記ジョブの処理を行い、アイドル状態で一定期間が経過すると、情報処理装置１を省電力モードにし、ＢＴ通信部４を介して送信するビーコンパケットをＡＤＶ＿ＮＯＮＣＯＮＮ＿ＩＮＤに変更する。ＢＴ通信部４は、ＣＰＵ６からの指示に応じて、携帯端末装置８が応答パケットを出力できないＡＤＶ＿ＮＯＮＣＯＮＮ＿ＩＮＤをビーコンパケットとして送信する。
【００３５】
ＣＰＵ６は、人検知部１４を介したユーザの検知、無線ＬＡＮ通信部３等を介したＰＣ等からのＷＯＬコマンドやジョブの受信、の何れかの処理を実行した場合、情報処理装置１を省電力モードから復帰させる。ＣＰＵ６は、情報処理装置１内の各ハードウエア構成要素を省電力モードからスタンバイモードに復帰させ、ＢＴ通信部４を介して送信するビーコンパケットをＡＤＶ＿ＩＮＤに切り替える。ＢＴ通信部４は、ＣＰＵ６からの指示に応じて、携帯端末装置８が応答パケットを出力可能なＡＤＶ＿ＩＮＤのビーコンパケットの送信を再開する。
ＣＰＵ６は、ＢＴ通信部４を介して、携帯端末装置８からＢｌｕｅｔｏｏｔｈによる接続要求パケットを受信した場合、ユーザデバイスである携帯端末装置８と通信を行う。ＣＰＵ６は、ＢＴ通信部４を介して、携帯端末装置８から受信したデータを読み出し、応答するデータを作成して、携帯端末装置８に対して作成したデータを送信する。ＣＰＵ６は、携帯端末装置８、ＰＣ等の外部装置から例えば無線ＬＡＮによりＷＯＬパケットやジョブを受信すると、受信した信号に応じた処理を行う。
【００３６】
以下、図７のフローチャートを参照して、本実施形態におけるＣＰＵ６の処理のうち実施形態１と異なる点を説明する。図７の処理のうち、Ｓ７０１〜Ｓ７０６、Ｓ７０８、Ｓ７０９、Ｓ７１１〜Ｓ７１４の処理は、それぞれ図６のＳ６０１〜Ｓ６０６、Ｓ６０８、Ｓ６０９、Ｓ６１１〜Ｓ６１４の処理と同様である。本実施形態の図７の処理は、Ｓ７０７及びＳ７１０の処理において実施形態１の図６の処理と異なる。
Ｓ７０７において、ＣＰＵ６は、ＢＴ通信部４を介して、送信するビーコンパケットを、携帯端末装置８が応答パケットを出力できないＡＤＶ＿ＮＯＮＣＯＮＮ＿ＩＮＤに切り替える。
Ｓ７１０において、ＣＰＵ６は、ＢＴ通信部４を介して、周期的に送信するビーコンパケットをＡＤＶ＿ＩＮＤに切り替える。ＢＴ通信部４は、ＣＰＵ６の指示に従って、携帯端末装置８が応答パケットを出力可能なＡＤＶ＿ＩＮＤのビーコンパケットの送信を再開する。
【００３７】
以上、本実施形態の処理により、情報処理装置１は、実施形態１の効果を奏することに加えて、省電力モードにおいて、復帰することなく外部の機器に対して情報の受け渡しができる。
【００３８】
＜実施形態３＞
実施形態１では、人検知部１４のセンサー部１４ａは、常に起動しているものとした。しかし、本実施形態では、ＣＰＵ６は、センサー部１４ａの有効、無効を切替えることができ、センサー部１４ａの有効、無効に応じた処理を行う。
本実施形態における情報処理装置１、携帯端末装置８のハードウエア構成及び情報処理装置１、携帯端末装置８の各ハードウエア構成要素の詳細は、実施形態１と同様である。
本実施形態の処理は、センサー部１４ａが有効である場合、実施形態１と同様の処理であり、センサー部１４ａが無効である場合、省電力モード中もビーコンパケットを出力する処理である。以下、本実施形態の処理について説明する。
【００３９】
ＣＰＵ６は、情報処理装置１に電源投入が行われると情報処理装置１内の各ブロックのイニシャル処理を実行し、ＢＴ通信部４を介してＡＤＶ＿ＩＮＤのビーコンパケットの出力を開始する。そして、ＣＰＵ６は、記憶装置１１に記憶されている設定値に基づいて、人検知部１４が有効か無効かを判定し、設定が有効であると判定した場合には人検知部１４を動作させる。より具体的には、記憶装置１１は、予め、人検知部１４が有効か無効かを示す、例えば１、０等の二値化された情報を設定値として記憶する。そしてＣＰＵ６は、記憶装置１１から前記設定値を取得し、例えば、前記設定値が１ならば、人検知部１４が有効であると判定して人検知部１４を動作させ、前記設定値が０ならば、人検知部１４が無効であると判定する。
ＣＰＵ６は、何らか処理するジョブ等があった場合、前記ジョブの処理を行い、アイドル状態で一定期間が経過すると、情報処理装置１を省電力モードにする。人検知部１４の動作が有効である場合、ＣＰＵ６は、ＢＴ通信部４に対してビーコンパケットの送信を停止するよう命じる。
ＣＰＵ６は、人検知部１４が有効な場合、人検知部１４を介したユーザの検知、無線ＬＡＮ通信部３を介した外部デバイスからの復帰コマンドやジョブの受信、の何れかの処理を実行した際に情報処理装置１を省電力モードから復帰させる。
【００４０】
ＣＰＵ６は、人検知部１４が無効な場合、無線ＬＡＮ通信部３等を介した外部デバイスからの復帰コマンドやジョブ等の受信、携帯端末装置８からの接続要求パケットの受信、ユーザによる操作パネル２を介した操作の検知、の何れかの処理の実行を検知する。そして、ＣＰＵ６は、何れかの処理の実行を検知した場合、情報処理装置１を省電力モードから復帰させる。
ＣＰＵ６は、情報処理装置１を省電力モードから復帰させ、人検知部１４が有効な場合には、ＢＴ通信部４を介してＡＤＶ＿ＩＮＤのビーコンパケットの送信を開始する。そして、ＣＰＵ６は、省電力モードからの復帰要因に応じた処理を行う。ＣＰＵ６は、携帯端末装置８からＢｌｕｅｔｏｏｔｈによる接続要求パケットを受信した場合、ＢＴ通信部４を介して、ユーザデバイスである携帯端末装置８と通信を行う。ＣＰＵ６は、ＢＴ通信部４を介して受信したデータを読み出し、応答するデータを作成して、携帯端末装置８に対して作成したデータを送信する。
【００４１】
ＣＰＵ６は、携帯端末装置８、ＰＣ等の外部装置から例えば無線ＬＡＮ通信部３を介してＷＯＬパケットやジョブを受信した場合、受信した信号に応じた処理を行う。
ＣＰＵ６は、操作パネル２等の情報処理装置１のユーザインタフェース（ＵＩ）がユーザにより操作された場合、操作パネル２の操作入力部２ｂを介して、ユーザの操作を読み取り、読み取った操作に応じた表示を表示部２ａに行う。
【００４２】
以下、図８のフローチャートを参照して、本実施形態における情報処理装置１の処理を説明する。
Ｓ８０１の処理は、Ｓ６０１の処理と同様である。
Ｓ８０２において、ＣＰＵ６は、記憶装置１１に格納されている設定値を読み出し、前記設定値に基づいて、人検知機能を有効にするか否かを判定する。ＣＰＵ６は、人検知機能を有効にすると判定した場合、Ｓ８０３の処理に進み、人検知機能を無効にすると判定した場合、Ｓ８１３の処理に進む。
Ｓ８０３において、ＣＰＵ６は、人感制御部１４ｂ、センサー部１４ａを介して、人検知処理を開始する。
【００４３】
Ｓ８０４、Ｓ８０５、Ｓ８０６、それぞれ、Ｓ６０２、Ｓ６０４、Ｓ６０３の処理と同様である。Ｓ８０７〜Ｓ８１２の処理は、それぞれＳ６０５〜Ｓ６１０の処理と同様である。
Ｓ８１３、Ｓ８１４〜Ｓ８１６の処理は、それぞれＳ６０２、Ｓ６０４〜Ｓ６０６の処理と同様である。
【００４４】
Ｓ８１７において、ＣＰＵ６は、無線ＬＡＮ通信部３を介したＷＯＬパケットやジョブの受信、携帯端末装置８からＢｌｕｅｔｏｏｔｈによる接続要求パケットの受信、ユーザによる操作パネル２への操作の検知、の何れかの処理を実行したか否かを判定する。ＣＰＵ６は、無線ＬＡＮ通信部３を介したＷＯＬパケットやジョブの受信、携帯端末装置８からＢｌｕｅｔｏｏｔｈによる接続要求パケットの受信、ユーザによる操作パネル２への操作の検知、の何れかの処理を実行したと判定した場合、Ｓ８１８の処理に進む。ＣＰＵ６は、無線ＬＡＮ通信部３を介したＷＯＬパケットやジョブの受信、携帯端末装置８からＢｌｕｅｔｏｏｔｈによる接続要求パケットの受信、ユーザによる操作パネル２への操作の検知、の何れの処理も実行していないと判定した場合、Ｓ８１７の処理に進む。
Ｓ８１８の処理は、Ｓ６０９の処理と同様である。
【００４５】
Ｓ８１９において、ＣＰＵ６は、Ｓ８１０又はＳ８１７で実行したと判定された処理が、ＢＴ通信部４を介した携帯端末装置８からの接続要求パケットの受信であるか否かを判定する。ＣＰＵ６は、Ｓ８１０又はＳ８１７で実行したと判定された処理が、ＢＴ通信部４を介した携帯端末装置８からの接続要求パケットの受信であると判定した場合、Ｓ８２０の処理に進む。ＣＰＵ６は、Ｓ８１０又はＳ８１７で実行したと判定された処理が、ＢＴ通信部４を介した携帯端末装置８からの接続要求パケットの受信ではないと判定した場合、Ｓ８２１の処理に進む。
Ｓ８２０の処理は、Ｓ６１２の処理と同様である。
Ｓ８２１において、ＣＰＵ６は、Ｓ８１０又はＳ８１７で実行したと判定された処理が無線ＬＡＮ通信部３を介したＰＣからのＷＯＬパケットやジョブの受信であるか否かを判定する。ＣＰＵ６は、Ｓ８１０又はＳ８１７で実行したと判定された処理が無線ＬＡＮ通信部３を介したＰＣからのＷＯＬパケットやジョブの受信であると判定した場合、Ｓ８２２の処理に進む。ＣＰＵ６は、Ｓ８１０又はＳ８１７で実行したと判定された処理が無線ＬＡＮ通信部３を介したＰＣからのＷＯＬパケットやジョブの受信ではないと判定した場合、Ｓ８２３の処理に進む。
【００４６】
Ｓ８２２の処理は、Ｓ６１４の処理と同様である。
Ｓ８２３において、ＣＰＵ６は、Ｓ８１７で実行したと判定された処理がユーザによる操作パネル２への操作の検知であったか否かを判定する。ＣＰＵ６は、Ｓ８１７で実行したと判定された処理がユーザによる操作パネル２への操作の検知であったと判定した場合、Ｓ８２４の処理に進む。ＣＰＵ６は、Ｓ８１７で実行したと判定された処理がユーザによる操作パネル２への操作の検知でなかったと判定した場合、Ｓ８０２の処理に進む。
Ｓ８２４において、ＣＰＵ６は、Ｓ８１７で実行したと判定されたユーザによる操作パネル２への操作の検知の処理により検知された操作に応じた表示処理を表示部２ａに行う。
【００４７】
以上、本実施形態の処理により、情報処理装置１は、実施形態１の効果を奏することに加えて、人検知センサーの有効、無効を切替え、必要な際のみ人検知センサーを有効にすることで電力消費を減少させることができる。
【００４８】
＜実施形態４＞
実施形態２では、人検知部１４のセンサー部１４ａは、常に起動しているものとした。しかし、本実施形態では、ＣＰＵ６は、センサー部１４ａの有効、無効を切替えることができ、センサー部１４ａの有効、無効に応じた処理を行う。
本実施形態における情報処理装置１、携帯端末装置８のハードウエア構成及び各ハードウエア構成要素の詳細は、実施形態１と同様である。
本実施形態の処理は、センサー部１４ａの有効、無効に応じて、センサー部１４ａが有効である場合、実施形態２と同様の処理であり、センサー部１４ａが無効である場合、省電力モード中もビーコンパケットを出力する処理である。以下、本実施形態の処理について説明する。
【００４９】
ＣＰＵ６は、情報処理装置１に電源投入が行われると情報処理装置１内の各ハードウエア構成要素のイニシャル処理を実行し、ＢＴ通信部４を介して、ＡＤＶ＿ＩＮＤのビーコンパケットの出力を開始する。そして、ＣＰＵ６は、記憶装置１１に記憶されている設定値に基づいて、人検知部１４が有効か無効かを判定し、設定が有効であると判定した場合には人検知部１４を動作させる。
ＣＰＵ６は、何らか処理するジョブ等があった場合、前記ジョブの処理を行い、アイドル状態で一定期間が経過すると、情報処理装置１を省電力モードにする。ＣＰＵ６は、ＢＴ通信部４を介して送信するビーコンパケットをＡＤＶ＿ＮＯＮＣＯＮＮ＿ＩＮＤに変更する。ＢＴ通信部４は、ＣＰＵ６からの指示に応じて、携帯端末装置８が応答パケットを出力できないＡＤＶ＿ＮＯＮＣＯＮＮ＿ＩＮＤをビーコンパケットとして送信する。
【００５０】
ＣＰＵ６は、人検知部１４が有効な場合、人検知部１４を介したユーザの検知、無線ＬＡＮ通信部３を介した外部デバイスからの復帰コマンドやジョブの受信、の何れかの処理を実行した際に情報処理装置１を省電力モードから復帰させる。
ＣＰＵ６は、人検知部１４が無効な場合、無線ＬＡＮ通信部３等を介した外部デバイスからの復帰コマンドやジョブ等の受信、携帯端末装置８からの接続要求パケットの受信、ユーザによる操作パネル２を介した操作の検知、の何れかの処理の実行を検知する。そして、ＣＰＵ６は、何れかの処理の実行を検知した場合、情報処理装置１を省電力モードから復帰させる。
【００５１】
ＣＰＵ６は、情報処理装置１内の各ブロックを省電力モードからスタンバイモードに復帰させ、ＢＴ通信部４を介して送信するビーコンパケットをＡＤＶ＿ＩＮＤに切り替える。ＢＴ通信部４は、ＣＰＵ６からの指示に応じて、携帯端末装置８が応答パケットを出力可能なＡＤＶ＿ＩＮＤのビーコンパケットの出力を再開する。
そして、ＣＰＵ６は、省電力モードからの復帰要因に応じた処理を行う。
ＣＰＵ６は、携帯端末装置８からＢｌｕｅｔｏｏｔｈによる通信により接続要求パケットを受信した場合、ＢＴ通信部４を介して、ユーザデバイスである携帯端末装置８と通信を行う。ＣＰＵ６は、ＢＴ通信部４を介して携帯端末装置８から受信したデータを読み出し、応答するデータを作成し、携帯端末装置８に対して作成したデータを出力する。
【００５２】
ＣＰＵ６は、携帯端末装置８、ＰＣ等の外部装置から例えば無線ＬＡＮ通信部３を介してＷＯＬパケットやジョブを受信した場合、受信した信号に応じた処理を行う。
ＣＰＵ６は、操作パネル２等の情報処理装置１のユーザインタフェース（ＵＩ）がユーザにより操作された場合、操作パネル２の操作入力部２ｂを介して、ユーザの操作を読み取り、読み取った操作に応じた表示を表示部２ａに行う。
【００５３】
以下、図９のフローチャートを参照して、本実施形態の情報処理装置１の処理を説明する。図９の処理は、図８の処理と比べて、Ｓ９０９とＳ９１２との処理に違いがあるが、他は同様の処理である。
Ｓ９０９の処理は、Ｓ７０７の処理と同様である。
Ｓ９１２の処理は、Ｓ７１０の処理と同様である。
【００５４】
以上、本実施形態の処理により、情報処理装置１は、実施形態２の効果を奏することに加えて、人検知センサーの有効、無効を切替え、必要な際のみ人検知センサーを有効にすることで電力消費を減少させることができる。
【００５５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【符号の説明】
【００５６】
１  情報処理装置、４  ＢＴ通信部、６  ＣＰＵ、１４  人検知部
【図１】
2016170608.tif 000004
【図２】
2016170608.tif 000005
【図３】
2016170608.tif 000006
【図４】
2016170608.tif 000007
【図５】
2016170608.tif 000008
【図６】
2016170608.tif 000009
【図７】
2016170608.tif 000010
【図８】
2016170608.tif 000011
【図９】
2016170608.tif 000012